(57)【要約】      （修正有）【課題】首用鎖、本体ケース、イヤホーン及び充電用ＡＣアダプターの４種類からなり、超小型、軽量、高性能、超鮮明で明瞭な音声を拡大することができる音声拡聴器。【解決手段】  首用鎖２、本体ケース３、音量調節器４を備えたイヤホーン５及び充電用ＡＣアダプター６の４種類からなり、本体ケース３には、首用鎖孔７、音声聴取用孔８、イヤホーンプラグ差込孔９、充電プラグ差込孔１０及び電源スイッチ孔１１の５個の孔が設けられ、そのケース内の基板１２には主として電源スイッチ１９、充電器１３、充電用ジャック１４、充電状態表示ランプ１６である充電中を表示する赤ランプ１６ａと、充電完了を表示する緑ランプ１６ｂを設け、マイクロホン１７、増幅器１８、イヤホーンジャック２０を備えてなることを特徴とする首飾り兼用音声拡聴器１である。【選択図】図１
0003125525.tif 000002
【実用新案登録請求の範囲】
【請求項１】
首用鎖２、本体ケース３、音量調節器４を備えたイヤホーン５及び充電用ＡＣアダプター６の４種類からなり、本体ケース３には、首用鎖孔７、音声聴取用孔８、イヤホーンプラグ差込孔９、充電プラグ差込孔１０及び電源スイッチ孔１１の５個の孔が設けられ、そのケース内の基板１２には主として電源スイッチ１９、充電器１３、充電用ジャック１４、充電状態表示ランプ１６である充電中を表示する赤ランプ１６ａと、充電完了を表示する緑ランプ１６ｂを設け、マイクロホン１７、増幅器１８、イヤホーンジャック２０を備えてなることを特徴とする首飾り兼用音声拡聴器１。
【請求項２】
イヤホーンプラグ差込孔９を介して、イヤホーンジャック２０にイヤホーンプラグ２１を差し込んだ際、回路が接触し、音声聴取ができ、イヤホーンプラグ２１を引き抜いた際、回路が切断されることを特徴とする請求項1に記載の首飾り兼用音声拡聴器１。
【請求項３】
本体ケース３、内に設けられた充電器１３に対し、充電プラグ差込孔１０を介して、充電ジャック14に充電プラグ１５を差込みその反対側の充電用ACアダプター６ａを直接ＡＣコネクターに差込んで充電することを特徴とする請求項1に記載の首飾り兼用音声拡聴器１。
【考案の詳細な説明】
【技術分野】
【０００１】
本考案は、首飾り及びネクタイピン兼用の音声拡聴器に関するものである。
【背景技術】
【０００２】
音声拡聴器に関する装置の中で、聴力補助用レシーバーは、例えば、高齢難聴者や、病院での患者の医師、看護婦との会話、習い事教室での先生の説明、お友達との会話、短い時間必要なときだけ耳に当てる聴力補助用レシーバーにおいて、本体を握ると同時に相手の声が聞こえ、離すと切れるスイッチ機構を提供すること、本体を握って耳に当てたとき、相手の声が無駄なく聞こえるようにできる利点がある。
【０００３】
表面にスピーカーおよびその耳当て部を、一側面に広面積の電源用タクトスイッチを、他側面に音量調節スイッチを、底面にマイクを設け、マイクで受信した音声を、スピーカーの耳当て部で聞き取るようにするとともに、手を離すと同時にタクトスイッチがオンとなるように構成した聴力補助用レシーバーが考案されていた。
【０００４】
また、相手の声を明瞭に聴きたいと思ったときに自分が使用する、あるいは逆に自分の声を相手に確実に聞かせたい時に相手の人に簡単に使用してもらうことの出来る音声聞き取り器であり、耳の穴に挿入する煩わしさがなく、スイッチを入れたり切ったりする操作が面倒ではない音声聞き取り器を提供されていた。
なお、この実用文献１としては、上記説明の実用新案登録第３０５３８５４号の登録実用新案公報「聴力補助用レシーバー」である。
【０００５】
本体に内蔵されたマイクロホンで集音し、その音声を増幅装置で増幅して本体内蔵のスピーカーで聞くことが出来る音声聞き取り器において、電源スイッチを入れることにより使用可能状態となり、タイマー機能により一定時間経過後にスイッチが切れる構造とする。またあるいは電源スイッチは手で触れている時だけＯＮ状態となるタッチセンサースイッチとし、本体を手で持ったとき必然的に手が触れている位置に配置するものが提供されていた。
【０００６】
しかし、聴力補助用レシーバー及び音声聞き取り器を使用するときには、比較的聴力の弱まった高齢者が使用することが多く、高齢者は、体力も思考力も衰え、重いものは苦手とし、物忘れすることが多くなっている。両者とも嵩は大きめであり、重量は結構長時間持ち歩くと重く感じられ、旅の終わりに荷物が多くなった場合には、収納に不便を感じるという不具合と聴力補助用レシーバー及び音声聞き取り器を使用し終えたときその場所に置き忘れることの欠点があった。
なお、この実用文献２としては、上記説明の実用新案登録第３０８４５１８号の登録実用新案公報「音声聞き取り器」である。
【０００７】
この改善策として、本考案は、首用鎖、本体ケース、イヤホーン及び充電用ＡＣアダプターの４種類からなり、超小型、軽量、高性能、超鮮明で明瞭な音声を拡大することができる音声拡聴器を実現した。
【考案の開示】
【考案が解決しようとする課題】
【０００８】
解決しようとする問題点は、音声拡聴器の使用対象者は主に高齢者であり、忘れ物が多くなり、とくに超小型、軽量、高性能の音声拡聴器は、使用場所に置いてくる可能性が大きいので、使用時にイヤホーンを差し込み、使用を終えたときには、イヤホーンのみを所要の場所に収納すればよい、首飾り及びネクタイピン兼用音声拡聴器を創作したものである。
【課題を解決するための手段】
【０００９】
本考案は、首用鎖、本体ケース、音量調節器を備えたイヤホーン及び充電用ＡＣアダプターの４種類からなり、本体ケースには、首用鎖孔、音声聴取用孔、イヤホーンプラグ差込孔、充電プラグ差込孔及び電源スイッチ孔の５個の孔が設けられ、そのケース内には基板が設けられ、その基板には主として電源スイッチ、充電器、充電用ジャック、充電状態表示ランプである充電中を表示する赤ランプと、充電完了を表示する緑ランプを設け、マイクロホン、増幅器、イヤホーンジャック備えてなる首飾り及びネクタイピン兼用の音声拡聴器である。
【００１０】
イヤホーンプラグ差込孔を介して、イヤホーンジャックにイヤホーンプラグを差し込んだ際、回路が接触し、音声を聴取でき、イヤホーンプラグを引き抜いた際、回路が切断されること、更に、本体ケース内に設けられた充電器に対し、充電プラグ差込孔を介して、充電ジャックに充電プラグを差込みその反対側の充電用ACアダプターを直接ＡＣコネクターに差込んで充電すること及び超小型、軽量、高性能、超鮮明で明瞭な音声を拡大することを最も主要な特徴とする首飾り兼用音声拡聴器である。
【考案の効果】
【００１１】
本考案の首飾り及びネクタイピン兼用音声拡聴器は、超小型、軽量、高性能、超鮮明で明瞭な音声を拡大し、聴取することができるもので、講演会、集会、相談事、教室、音楽会、劇場等、音を聴取する場所において、高齢者のご婦人にあっては首飾り兼用として、高齢者の男性にあってはネクタイピン兼用として携帯に便利な音声拡聴器を利用できるものである。
【００１２】
電源スイッチをＯＮにしておけば、必要なときに収納しているところからイヤホーンを取出し、音声拡聴器本体のイヤホーン差込孔を介して、イヤホーンジャクにイヤホーンプラグを差込めば即座に音声を拡大聴取し、使用できる便利なものであり、使用を終えたときにはイヤホーンを引き抜き、収納箇所にイヤホーンを収納すれば、残った本体は、首飾り又はネクタイピンとして使用することができるもので、本体を置き忘れることもなく、使用できるものである。
【考案を実施するための最良の形態】
【００１３】
本考案は、首用鎖、本体ケース、イヤホーン及び充電用ＡＣアダプターの４種からなり、超小型、軽量、高性能、超鮮明で明瞭な音声を拡大することができる音声拡聴器を実現した。
【実施例１】
【００１４】
図１は、図８の首飾り系統図の実施方法を示した実施例１の説明図であり、図２のネクタイピン斜視図は、実施例２の説明図であって、図３は、図２のネクタイピンとしての使用態様を示し、更に、ネクタイピンとしての使用態様を図４は、Ｖ字型女性用セーター又は男性用チョッキの襟元の使用状態を示し、図５は、スーツポケットの使用状態を示す実施例２の説明図である。
【００１５】
図６は、ケース斜視であって、孔の状態を示す図面でその構成を示し、図7は、機構及び機能を示すと共に、ケースに収める基板の回路図を示し、図8は、首飾り系統図であって、全体の機構及び機能を示している。
【００１６】
図面に基づいて更に詳述すると、図1に示すように、首用鎖２、本体ケース３、音量調節器４を備えたイヤホーン５及び充電用ＡＣアダプター６の４種からなり、図６に示すように、本体ケース３には、首用鎖孔７、音声聴取用孔８、イヤホーンプラグ差込孔９、充電プラグ差込孔１０及び電源スイッチ孔１１の５個の孔が設けられ、そのケース３内には図７が示すように、基板１２が設けられ、その基板１２には主として電源スイッチ１９、充電器１３、充電用ジャック１４、充電状態表示ランプ１６である充電中を表示する赤ランプ１６ａと、充電完了を表示する緑ランプ１６ｂを設け、マイクロホン１７、増幅器１８、イヤホーンジャック２０備えてなることを特徴とする首飾り兼用音声拡聴器１である。
【００１７】
この操作方法は、電源スイッチ１９を入力側に接触させて置くことにより本体は作動し得る状態となり、ケース３のイヤホーン差込孔９を介し、イヤホーンジャック２０にイヤホーンプラグ２１を差込んだ際、音声回路が接触し、イヤホーン５ａを耳に挿入すると音声を直ちに聴取できる。音量を調節するためには、イヤホーン５ａとイヤホーンジャック２０との間の音量調節器４の音量を上げたり下げたりして調節する。
【００１８】
使用を終えたら、イヤホーンジャック２０からイヤホーンプラグ２１を引き抜いた際、音声回路が切断されることを特徴とする首飾り兼用音声拡聴器であり、この音声聴取作業を繰り返し行うことができ、音声聴取作業の最後に電池の消耗を防止するため電源スイッチ１９を切る。電源スイッチ１９を切ると首飾り兼用音声拡聴器１の電気が遮断されるので、その機能は停止し、イヤホーンジャック２０にイヤホーンプラグ２１を差し込んでも音声は聞こえない。
【００１９】
そして、電池の消耗防止と電池蓄電量を増加させるため、本体ケース３、内に設けられた充電器１３に対して、充電プラグ差込孔１０を介して、充電ジャック１４に充電プラグ１５を差込み、そのコードの反対側にある充電用ＡＣアダプター６ａをＡＣコネクターに直接差し込んで充電する。充電中は、本体ケース３、内に設けられた充電表示ランプ１６が点燈するが、充電作業中は、ＬＥＤ赤色ランプ１６ａが点燈し、充電作業終了は、充電量が満杯になった時、ＬＥＤ緑色ランプ１６ｂが点燈する。
【００２０】
ＬＥＤ緑色ランプ１６ｂが点燈したことを確認してから、充電ジャック１４から充電プラグ１５を引き抜き、そのコードの反対側にあるＡＣコネクターから充電用ＡＣアダプター６ａを引き抜き充電作業を終了することを特徴とする首飾り兼用音声拡聴器１である。
【００２１】
このようにして充電を行なうが、使用電池は、リチウムイオンで一度の充電時間は、約２時間を要する。電池充電回数は、約１０００回であり、連続使用時間は、約３０時間乃至約４０時間で、電池寿命は、約３年である。
従って、この音声拡聴器の操作をするものは、軽量で操作が簡単であり、一度、電源スイッチ１１を入れておけば、必要な音声を聴取したいときにイヤホーンジャック２０にイヤホーンプラグ２１を差し込んで、音量調節器４で音量を調節すれば、快適な音声を聴取できるものである。
また、首飾り兼用音声拡聴器であるので、使用し終わっても、首飾りであるので置忘れがないという効果がある。
【実施例２】
【００２２】
図２の実施例は、本体ケース３の裏側にクリップ２２を取付けたことによって、タイピンタイプとして、図３に示すようにネクタイ２３に挟み用いられるもので、図４に示すように襟裳２４に止めて用いられ又は図５に示す男性のスーツポケット２５に挟んで使用することができ、男女の差ではなく服装によって決められる。その作用効果は、首飾り兼用音声拡聴器１と全く同一である。両者の差は、本体ケース３に首用鎖２を有するか、本体ケース３の裏側にクリップ２２を有するかの差異であります。
【産業上の利用可能性】
【００２３】
本考案は、耳が不自由な方や騒音中の音声を明瞭に聴くために開発したもので、特に、学校の講義、講演会、演劇、音楽会等の音声を明瞭に聴取するために使用することが不可欠なものである。
【図面の簡単な説明】
【００２４】
【図１】首飾り系統図の実施方法を示した説明図である。（実施例１）
【図２】ネクタイピン斜視図である。（実施例２）
【図３】ネクタイ使用態様である。（実施例２）
【図４】Ｖ字型女性用セーター又は男性チョッキ襟元使用状態を示す図面である。（実施例２）
【図５】男性スーツポケット使用状態を示す図面である。（実施例２）
【図６】ケース斜視で孔の状態を示す図面である。
【図７】基盤上の回路図である。
【図８】図1の系統図である。
【符号の説明】
【００２５】
１    首飾り兼用音声拡聴器
２    首用鎖
３    本体ケース
４    音量調節器
５    音量調節器を備えたイヤホーン
５ａ  イヤホーン
６    充電用ACアダプター
６ａ  ACアダプター
７    首用鎖孔
８    音声聴取用孔
９    イヤホーンプラグ差込孔
１０  充電プラグ差込孔
１１  スイッチ孔
１２  基板
１３  充電器
１４  充電用ジャック
１５  充電用プラグ
１６  充電状態表示ランプ
１６ａ  赤ランプ
１６ｂ  緑ランプ
１７  マイクロホン
１８  増幅器
１９  電源スィッチ
２０  イヤホーンジャック
２１  イヤホーンプラグ
２２  クリップ
２３  ネクタイ
２４  襟元
２５  ポケット
【図１】
0003125525.tif 000003
【図２】
0003125525.tif 000004
【図３】
0003125525.tif 000005
【図４】
0003125525.tif 000006
【図５】
0003125525.tif 000007
【図６】
0003125525.tif 000008
【図７】
0003125525.tif 000009
【図８】
0003125525.tif 000010